(57)【要約】【課題】電線の端末を円滑に誘導できる間接活線工事用端末キャップを提供する。【解決手段】端末キャップ１０は、絶縁キャップ本体１と一対の半円錐台状の誘導筒体２・２を備える。又、端末キャップ１０は、一対の把持片２１・２１と捩じりコイルばね３を備える。絶縁キャップ本体１は、一端部１ａを開口し、他端部１ｂを閉塞し、電線Ｗの端末を内部に導入できる。一対の誘導筒体２・２は、上面２ｂ側を絶縁キャップ本体１の外周に回動自在に連結している。捩じりコイルばね３の付勢力に抗して、一対の把持片２１・２１を一対の開閉腕８ａ・８ｂで把持すると、誘導筒体２の底面２ａ側を開くことができる。これにより、電線Ｗの端末を絶縁キャップ本体１に円滑に誘導できる。一対の誘導筒体２・２を閉じると、一対の抜け止め片２２・２２で、電線Ｗの端末を外周方向から押圧できる。【選択図】図１
2018125996.tif 000002
【特許請求の範囲】
【請求項１】
被覆を所定の長さで剥離した電線の端末の芯線が露出しないように、一対の開閉腕を先端部に有する絶縁操作棒を用いて、前記電線の端末を絶縁体で覆う間接活線工事用端末キャップであって、
前記電線の端末を内部に導入自在に一端部を開口し、他端部を閉塞した円筒状の絶縁キャップ本体と、
円錐台の母線に沿って外周を半分割し、前記電線の端末を誘導自在に半径の大きい底面側を開口し、半径の小さい上面側を前記絶縁キャップ本体の一端部側の外周に回動自在に連結した一対の半円錐台状の誘導筒体と、
前記誘導筒体の上面側から前記誘導筒体の底面側と反対側に延び、前記開閉腕で把持すると前記誘導筒体の底面側を開く把持片と、
前記把持片に係合し、対向する一対の前記誘導筒体が閉じる力を付勢する付勢部材と、を備えている、間接活線工事用端末キャップ。
【請求項２】
一対の前記誘導筒体は、前記誘導筒体が閉じた状態で、前記電線の端末を外周方向から押圧する抜け止め片を底面側の内壁から突出している、請求項１記載の間接活線工事用端末キャップ。
【請求項３】
前記把持片が延びる方向と略直交して配置され、前記把持片の基端部と前記絶縁キャップ本体の外周とを回動自在に連結する連結ピンを更に備えている、請求項１又は２記載の間接活線工事用端末キャップ。
【請求項４】
前記付勢部材は、コイル部が前記連結ピンを巻装し、一端部が前記把持片の基端部に係止し、他端部が前記絶縁キャップ本体の外周に係止した捩じりコイルばねである、請求項３記載の間接活線工事用端末キャップ。
【発明の詳細な説明】
【技術分野】
【０００１】
本発明は、間接活線工事用端末キャップに関する。特に、電柱に架設した高圧配電線から分岐された縁線などを間接活線作業で切断した場合に、被覆を剥離した縁線の端末を絶縁体で覆って保護でき、切断後の芯線が装柱機器などに接触することを抑制できる間接活線工事用端末キャップの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
例えば、電柱に架設された高圧配電線から分岐された縁線（以下、電線という）を切断する間接活線工事が必要な場合がある。この場合、電線被覆剥離工具を先端部に備えた絶縁操作棒を用いて、電線の被覆を所定の長さで剥離している。
【０００４】
次に、固定ジョーと可動ジョーの間に電線を把持できる絶縁操作棒（いわゆる、ストレーリンクトング）を二本用いて、電線の剥離部の両側を把持している。次に、電線の剥離部の両側をストレーリンクトングで把持した状態で、電線の剥離部の中央部を間接活線工事用カッターで切断している。
【０００５】
次に、被覆が剥離された電線の端末に、絶縁性を有する端末キャップを取り付けて、電線の芯線を覆うことで、電線の芯線が装柱機器などに接触することを防止できる。
【０００６】
このような端末キャップとしては、一対の開閉腕を先端部に有する絶縁操作棒（いわゆる、絶縁ヤットコ）を用いて、端末キャップを把持でき、ワンタッチで簡単に電線の端末に冠着でき、電線の端末から不用意に離脱することがない間接活線工事用端末キャップが開示されている（例えば、特許文献１参照）。
【先行技術文献】
【特許文献】
【０００７】
【特許文献１】特開平９−６５５２９号公報
【発明の概要】
【発明が解決しようとする課題】
【０００８】
図８は、従来技術による間接活線工事用端末キャップの構成を示す斜視図である。本願の図８は、特許文献１の図４に相当している。図８を参照すると、従来技術による間接活線工事用端末キャップ（以下、端末キャップと略称する）９は、円筒状の有底筒部９１と有底筒部９１に連続した円錐筒部９２で構成している。有底筒部９１は、帯板状の挟持片９３を外周方向に突出している。
【０００９】
図８を参照して、一対の開閉腕８ａ・８ｂを先端部に有する絶縁ヤットコ８を用いて、挟持片９３を把持することで、端末キャップ９を保持できる。被覆Ｗｉが剥離された電線Ｗの端末を別の絶縁ヤットコで把持し、円錐筒部９２に設けた円錐台状の挿入口９２ｈに電線Ｗの端末を挿入できる。
【００１０】
図８を参照して、電線Ｗの端末を別の絶縁ヤットコで把持して、電線Ｗの芯線Ｗｃを有底筒部９１の内部に進入できる。有底筒部９１は、放射状に配置された複数のリブ（図示せず）を内壁に形成している。これらのリブは、有底筒部９１の長手方向に沿って底部に向かって隆起を高くなるように形成している。電線Ｗの端末を有底筒部９１の内部に進入すると、複数のリブが被覆Ｗｉの外周面に食い込むことで、電線Ｗの端末を端末キャップ９で保持できる。
【００１１】
一般に、間接活線工事用端末キャップは、被覆を剥離した電線を切断後に、この電線の端末を保護するように構成している。このため、電線を切断してから間接活線工事用端末キャップを取り付けるまでの間に、電線の芯線を装柱機器などに不用意に接触させる心配があった。被覆を剥離した電線を切断後に、電線の芯線が装柱機器などに不用意に接触しないように、被覆を剥離した電線を端末キャップの挿入口に円滑に誘導できる間接活線工事用端末キャップが求められている。そして、以上のことが本発明の課題といってよい。
【００１２】
本発明は、このような課題に鑑みてなされたものであり、被覆を剥離した電線を切断後に、電線の芯線が装柱機器などに不用意に接触しないように、被覆を剥離した電線を端末キャップの挿入口に円滑に誘導できる間接活線工事用端末キャップを提供することを目的とする。
【課題を解決するための手段】
【００１３】
本発明者は、電線の端末を内部に導入自在に一端部を開口し、他端部を閉塞した円筒状の絶縁キャップ本体と、円錐台の母線に沿って外周を半分割し、開閉自在な一対の半円錐台状の誘導筒体で、間接活線工事用端末キャップを構成し、誘導筒体に設けた一対の把持片を絶縁ヤットコで把持すると、一対の誘導筒体が開くことで、電線の芯線が装柱機器などに不用意に接触することなく、電線の端末を絶縁キャップ本体に誘導できると考え、これに基づいて、以下のような新たな間接活線工事用端末キャップを発明するに至った。
【００１４】
（１）本発明による間接活線工事用端末キャップは、被覆を所定の長さで剥離した電線の端末の芯線が露出しないように、一対の開閉腕を先端部に有する絶縁操作棒を用いて、前記電線の端末を絶縁体で覆う間接活線工事用端末キャップであって、前記電線の端末を内部に導入自在に一端部を開口し、他端部を閉塞した円筒状の絶縁キャップ本体と、円錐台の母線に沿って外周を半分割し、前記電線の端末を誘導自在に半径の大きい底面側を開口し、半径の小さい上面側を前記絶縁キャップ本体の一端部側の外周に回動自在に連結した一対の半円錐台状の誘導筒体と、前記誘導筒体の上面側から前記誘導筒体の底面側と反対側に延び、前記開閉腕で把持すると前記誘導筒体の底面側を開く把持片と、前記把持片に係合し、対向する一対の前記誘導筒体が閉じる力を付勢する付勢部材と、を備えている。
【００１５】
（２）一対の前記誘導筒体は、前記誘導筒体が閉じた状態で、前記電線の端末を外周方向から押圧する抜け止め片を底面側の内壁から突出していることが好ましい。
【００１６】
（３）前記把持片が延びる方向と略直交して配置され、前記把持片の基端部と前記絶縁キャップ本体の外周とを回動自在に連結する連結ピンを更に備えていることが好ましい。
【００１７】
（４）前記付勢部材は、コイル部が前記連結ピンを巻装し、一端部が前記把持片の基端部に係止し、他端部が前記絶縁キャップ本体の外周に係止した捩じりコイルばねであることが好ましい。
【発明の効果】
【００１８】
本発明による間接活線工事用端末キャップは、電線の端末を内部に導入自在な円筒状の絶縁キャップ本体と、開閉自在な一対の半円錐台状の誘導筒体と、を備え、誘導筒体に設けた一対の把持片を絶縁ヤットコで把持すると、一対の誘導筒体が開くことで、電線の芯線が装柱機器などに不用意に接触することなく、電線の端末を絶縁キャップ本体に円滑に誘導できる。
【図面の簡単な説明】
【００１９】
【図１】本発明の一実施形態による間接活線工事用端末キャップの構成を示す斜視図であり、間接活線工事用端末キャップを正面側から観た状態図である。
【図２】前記実施形態による間接活線工事用端末キャップの構成を示す斜視図であり、間接活線工事用端末キャップを背面側から観た状態図である。
【図３】前記実施形態による間接活線工事用端末キャップの構成を示す側面図であり、間接活線工事用端末キャップに備わる誘導筒体の半分を縦断面図で示している。
【図４】図３のＡ−Ａ矢視断面図である。
【図５】前記実施形態による間接活線工事用端末キャップの構成を示す正面図である。
【図６】前記実施形態による間接活線工事用端末キャップの構成を示す背面図である。
【図７】前記実施形態による間接活線工事用端末キャップの構成を示す側面図であり、一対の誘導筒体を開いた状態図である。
【図８】従来技術による間接活線工事用端末キャップの構成を示す斜視図である。
【発明を実施するための形態】
【００２０】
以下、図面を参照して本発明を実施するための形態を説明する。
［間接活線工事用端末キャップの構成］
最初に、本発明の一実施形態による間接活線工事用端末キャップの構成を説明する。
【００２１】
図１は、本発明の一実施形態による間接活線工事用端末キャップの構成を示す斜視図であり、間接活線工事用端末キャップを正面側から観た状態図である。
【００２２】
図２は、前記実施形態による間接活線工事用端末キャップの構成を示す斜視図であり、間接活線工事用端末キャップを背面側から観た状態図である。
【００２３】
図３は、前記実施形態による間接活線工事用端末キャップの構成を示す側面図であり、間接活線工事用端末キャップに備わる誘導筒体の半分を縦断面図で示している。図４は、図３のＡ−Ａ矢視断面図である。
【００２４】
図５は、前記実施形態による間接活線工事用端末キャップの構成を示す正面図である。図６は、前記実施形態による間接活線工事用端末キャップの構成を示す背面図である。
【００２５】
図７は、前記実施形態による間接活線工事用端末キャップの構成を示す側面図であり、一対の誘導筒体を開いた状態図である。
【００２６】
なお、従来技術で使用した符号と同じ符号を有する構成品は、その作用を同じとするので、以下説明を省略することがある。
【００２７】
（全体構成）
図１から図７を参照すると、本発明の一実施形態による間接活線工事用端末キャップ（以下、端末キャップと略称する）１０は、被覆Ｗｉを所定の長さで剥離した電線Ｗの端末の芯線Ｗｃが露出しないように、一対の開閉腕８ａ・８ｂを先端部に有する絶縁ヤットコ８を用いて（図８参照）、電線Ｗの端末を絶縁体で覆うことができる。
【００２８】
図１から図７を参照すると、端末キャップ１０は、円筒状の絶縁キャップ本体１と一対の半円錐台状の誘導筒体２・２を備えている。又、端末キャップ１０は、一対の把持片２１・２１と一組の付勢部材となる捩じりコイルばね３を備えている。更に、端末キャップ１０は、一組の連結ピン４・４を備えている。
【００２９】
図１から図３又は図７を参照すると、絶縁キャップ本体１は、一端部１ａを開口し、他端部１ｂを閉塞している。そして、絶縁キャップ本体１は、電線Ｗの端末を内部に導入自在な空洞１ｃを内部に有している。
【００３０】
図５を参照すると、実施形態による絶縁キャップ本体１は、中心から放射状に形成したスリットで分割された複数のシャッター部材１１ｓを一端部１ａに有している。そして、複数のシャッター部材１１ｓを変形させて、電線Ｗの端末を絶縁キャップ本体１の内部に進入できる。
【００３１】
図１から図３又は図７を参照すると、一対の誘導筒体２・２は、円錐台の母線に沿って外周を半分割している。これらの誘導筒体２・２は、電線Ｗの端末を誘導自在に、半径の大きい底面２ａ側を開口している。又、これらの誘導筒体２・２は、半径の小さい上面２ｂ側を絶縁キャップ本体１の一端部１ａ側の外周に回動自在に連結している。
【００３２】
図１から図３又は図７を参照すると、把持片２１は、誘導筒体２の上面２ｂ側から誘導筒体２の底面２ａ側と反対側に延びている。一対の把持片２１・２１を一対の開閉腕８ａ・８ｂで把持すると（図８参照）、誘導筒体２の底面２ａ側を開くことができる（図７参照）。
【００３３】
図３又は図４及び図６又は図７を参照すると、捩じりコイルばね３は、把持片２１に係合している。そして、捩じりコイルばね３は、対向する一対の誘導筒体２・２が閉じる力を付勢している。
【００３４】
図１から図７を参照すると、実施形態による端末キャップ１０は、電線Ｗの端末を内部に導入自在な円筒状の絶縁キャップ本体１と、開閉自在な一対の円錐台状の誘導筒体２・２と、を備え、これらの誘導筒体２・２に設けた一対の把持片２１・２１を絶縁ヤットコ８で把持すると、一対の誘導筒体２・２が開くことで、電線Ｗの芯線Ｗｃが装柱機器などに不用意に接触することなく、電線Ｗの端末を絶縁キャップ本体１に円滑に誘導できる。
【００３５】
（絶縁キャップ本体の構成）
次に、実施形態による絶縁キャップ本体１の構成を説明する。図１から図７を参照すると、絶縁キャップ本体１は、絶縁性を有する合成樹脂からことが好ましい。絶縁性を有する合成樹脂を成形して、一端部を開口し、他端部を閉塞した円筒状の絶縁キャップ本体１を得ることができる。
【００３６】
図２又は図４及び図６又は図７を参照すると、絶縁キャップ本体１は、一対の二山クレビス形の軸受部１ｋ・１ｋを有している。これらの軸受部１ｋ・１ｋは、絶縁キャップ本体１の一端部１ａの外周から相反する向きに突出している。軸受部１ｋは、連結ピン４を回動自在に支持している。
【００３７】
（誘導筒体の構成）
次に、実施形態による誘導筒体２の構成を説明する。図１から図７を参照すると、誘導筒体２は、絶縁性を有する合成樹脂からことが好ましい。絶縁性を有する合成樹脂を成形して、半円錐台状の誘導筒体２を得ることができる。
【００３８】
図１又は図３及び図５又は図７を参照すると、誘導筒体２は、抜け止め片２２を底面２ａ側の内壁から突出している。これらの抜け止め片２２・２２は、所定の間隔を設けて対向配置されている。図３を参照して、一対の誘導筒体２・２が閉じた状態では、電線Ｗの端末を外周方向から押圧している。これにより、電線Ｗの端末が絶縁キャップ本体１から脱落することを抑制できる。
【００３９】
（把持片及び連結ピンの構成）
次に、実施形態による把持片２１及び連結ピン４の構成を説明する。図１から図４及び図６又は図７を参照すると、把持片２１は、二山クレビス形の軸受部２１ｋを内壁に有している。軸受部２１ｋは、軸受部１ｋの両側を囲っている。軸受部２１ｋは、連結ピン４の両端部を支持している。
【００４０】
図１から図４及び図６又は図７を参照して、軸受部２１ｋと軸受部１ｋを連結ピン４で連結することで、連結ピン４を把持片２１が延びる方向と略直交して配置できる。又、把持片２１の基端部と絶縁キャップ本体１の外周とを回動自在に連結できる。つまり、連結ピン４は、絶縁キャップ本体１に対して、一対の誘導筒体２・２を開閉自在に連結している。
【００４１】
（付勢部材の構成）
次に、実施形態による捩じりコイルばね３の構成を説明する。図３又は図４及び図６又は図７を参照すると、捩じりコイルばね３は、そのコイル部が連結ピン４を巻装している。又、捩じりコイルばね３は、その一端部が把持片２１の基端部に係止している。更に、捩じりコイルばね３は、その他端部が絶縁キャップ本体１の外周に係止している。そして、捩じりコイルばね３は、対向する一対の誘導筒体２・２が閉じる力を付勢している。
【００４２】
。
［間接活線工事用端末キャップの作用］
次に、実施形態による間接活線工事用端末キャップの作用及び効果を説明する。図１から図７を参照すると、実施形態による端末キャップ１０は、電線Ｗの端末を内部に導入自在な円筒状の絶縁キャップ本体１と、開閉自在な一対の円錐台状の誘導筒体２・２と、を備え、これらの誘導筒体２・２に設けた一対の把持片２１・２１を絶縁ヤットコ８で把持すると、一対の誘導筒体２・２が開くことで（図７参照）、電線Ｗの芯線Ｗｃが装柱機器などに不用意に接触することなく、電線Ｗの端末を絶縁キャップ本体１に円滑に誘導できる。
【００４３】
又、図１から図３を参照すると、実施形態による端末キャップ１０は、電線Ｗの端末を外周方向から押圧する抜け止め片２２を誘導筒体２の底面２ａ側の内壁から突出しているので、電線Ｗの端末を絶縁キャップ本体１に導入後に、一対の誘導筒体２・２が閉じた状態では、電線Ｗの端末が絶縁キャップ本体１から脱落することを抑制できる。
【００４４】
本発明による間接活線工事用端末キャップは、次の効果が期待できる。
（１）電線を切断後に速やかに、電線の端末を端末キャップ本体で覆って保護できる。
（２）電線の芯線が露出している時間を低減できる。
（３）電線の端末を端末キャップ本体に確実に導入できる。
（４）切断後の芯線が装柱機器に接触することを抑制できる。
（５）電線の端末を保護する作業時間を低減できる。
【符号の説明】
【００４５】
１  絶縁キャップ本体
１ａ  絶縁キャップ本体の一端部
１ｂ  絶縁キャップ本体の他端部
２・２  一対の誘導筒体
３  捩じりコイルばね（付勢部材）
８  絶縁ヤットコ（絶縁操作棒）
８ａ・８ｂ  一対の開閉腕
１０  端末キャップ（間接活線工事用端末キャップ）
２１  把持片
Ｗ  電線
Ｗｃ  芯線
Ｗｉ  被覆
【図１】
2018125996.tif 000003
【図２】
2018125996.tif 000004
【図３】
2018125996.tif 000005
【図４】
2018125996.tif 000006
【図５】
2018125996.tif 000007
【図６】
2018125996.tif 000008
【図７】
2018125996.tif 000009
【図８】
2018125996.tif 000010